(57)【要約】      （修正有）【課題】内容器と枠材を組み合わせた食品包装用容器において、蓋をした状態で掛け紙を巻きつけ、かつ、そのまま上下に積み重ねられるようにすること、巻き付けた掛け紙が折れ曲がったり、積み重ねた時に下側にある容器の蓋で押し上げられて切れたりしないようにすること。【解決手段】内容器１と枠材２と蓋３を備える食品包装用容器であって、蓋３の中央には上面３３より低い掛け紙巻き付け面が設けられ、蓋３の周縁部３１には同じ大きさの突起３９が４つ設けてある。突起３９の上端面の高さは境界部の高さより高く、上面３３の周辺部３８の高さより低い。また、内容器の底面１４の高さと枠材２の下端部の高さの差をｄ１、上面３３の高さと突起３９の上端面の高さの差をｄ２とした時ｄ１≧ｄ２となっている。【選択図】図２
2018047946.tif 000002
【特許請求の範囲】
【請求項１】
薄い樹脂製又は紙製の内容器と、該内容器を収容固定する枠材と、前記内容器の上方を覆う蓋を備える食品包装用容器であって、
前記蓋は、前記枠材に収容可能な突出部及び該突出部の周囲に広がる周縁部を有し、
前記突出部は、掛け紙巻き付け面及び該掛け紙巻き付け面の両側に広がる上面を有しており、
前記掛け紙巻き付け面は、少なくとも周縁部との境界において前記上面より低い面となっており、
前記周縁部は、少なくとも前記枠材を載置できる大きさを有するとともに、前記上面の周辺部付近における３箇所以上に、前記掛け紙巻き付け面と周縁部との境界部の高さよりも高く、前記上面の周辺部の高さよりも低い突起が設けてあり、
前記枠材に前記内容器を収容固定した状態において、前記内容器の最も低い底面と前記枠材の下端との高さの差が、前記上面の最も高い部分と前記突起の上端面との高さの差以上となっている
ことを特徴とする食品包装用容器。
【請求項２】
前記掛け紙巻き付け面は、全体が前記上面より低い面となっており、
前記突起の高さは、前記掛け紙巻き付け面の最も高い部分より高く、前記上面の周辺部の高さよりも低い
ことを特徴とする請求項１記載の食品包装用容器。
【請求項３】
前記枠材の下端部には、前記掛け紙巻き付け面に対応する部分に切り欠きが設けられている
ことを特徴とする請求項１記載の食品包装用容器。
【発明の詳細な説明】
【技術分野】
【０００１】
本発明は、主として、ごはん類、麺類、各種惣菜などの食品を収納するための食品包装用容器に関する。
【背景技術】
【０００２】
このような食品包装用容器として、一体成形した薄い内容器と枠材を組み合わせたものが広く用いられている。
本出願の発明者は、特許文献１（実用新案登録第３２００８１３号公報）に記載されているように、直方体状とした枠材(2)の上から内容器(1)を落とし込んで組み立てることのできる食品包装用容器において、内容器(1)の上にかぶせる蓋(3)を設けるとともに、枠材(2)の深さを蓋(3)の頂面の高さと内容器(1)の底面の高さとの差以上とすることによって、蓋(3)をした状態で食品包装用容器を積み重ねても、食品包装用容器の内容器(1)や蓋(3)が潰れないようにしたものを提案した（特に請求項２、段落０００２及び図３を参照）。
【０００３】
また、特許文献２（特許第４２８４４４２号公報）には、容器本体(1)と蓋体(2)とからなり、且つ閉蓋状態において帯状の非貼着ラベル(4)を巻きつけて使用する食品包装用容器であって、蓋体(2)に巻き付けるラベル(4)の幅に合わせてラベル巻き付け面(21)を形成するとともに、ラベル巻き付け面(21)の両側縁部に沿ってラベル巻き付け面(21)より突出した突条部(22)を形成したものが開示されている。
【０００４】
しかし、特許文献１記載の食品包装用容器は、非貼着ラベルを巻きつけて使用するものではなく、特許文献２記載の食品包装用容器は、非貼着ラベル(4)を巻きつけた状態で積み重ねて用いるものではなかった。
なお、特許文献１記載の食品包装用容器において、台形状の切り欠き部(27)を利用して非貼着ラベルを巻きつけ容器を積み重ねた場合、非貼着ラベルが上側にある容器の枠材(2)で押されて折れ曲がったり、下側にある容器の蓋(3)で押し上げられて切れてしまったりするおそれがある。
また、台形状の切り欠き部(27)を深いものとすれば枠材(2)の強度が落ちてしまうという問題がある。
【先行技術文献】
【特許文献】
【０００５】
【特許文献１】実用新案登録第３２００８１３号公報
【特許文献２】特許第４２８４４４２号公報
【発明の概要】
【発明が解決しようとする課題】
【０００６】
本発明は、内容器と枠材を組み合わせた食品包装用容器において、蓋をした状態で掛け紙（非貼着ラベル）を巻きつけ、かつ、そのまま上下に積み重ねられるようにすることを第１の課題としてなされたものである。
また、巻き付けた掛け紙が折れ曲がったり、積み重ねた時に下側にある容器の蓋で押し上げられて切れたりしないようにすることを第２の課題としてなされたものである。
【課題を解決するための手段】
【０００７】
請求項１に係る発明の食品包装用容器は、薄い樹脂製又は紙製の内容器と、該内容器を収容固定する枠材と、前記内容器の上方を覆う蓋を備える食品包装用容器であって、
前記蓋は、前記枠材に収容可能な突出部及び該突出部の周囲に広がる周縁部を有し、
前記突出部は、掛け紙巻き付け面及び該掛け紙巻き付け面の両側に広がる上面を有しており、
前記掛け紙巻き付け面は、少なくとも周縁部との境界において前記上面より低い面となっており、
前記周縁部は、少なくとも前記枠材を載置できる大きさを有するとともに、前記上面の周辺部付近における３箇所以上に、前記掛け紙巻き付け面と周縁部との境界部の高さよりも高く、前記上面の周辺部の高さよりも低い突起が設けてあり、
前記枠材に前記内容器を収容固定した状態において、前記内容器の最も低い底面と前記枠材の下端との高さの差が、前記上面の最も高い部分と前記突起の上端面との高さの差以上となっていることを特徴とする。
【０００８】
請求項２に係る発明の食品包装用容器は、請求項１記載の食品包装用容器において、前記掛け紙巻き付け面は、全体が前記上面より低い面となっており、前記突起の高さは、前記掛け紙巻き付け面の最も高い部分より高く、前記上面の周辺部の高さよりも低いことを特徴とする。
【０００９】
請求項３に係る発明の食品包装用容器は、請求項１記載の食品包装用容器において、前記枠材の下端部には、前記掛け紙巻き付け面に対応する部分に切り欠きが設けられていることを特徴とする。
【発明の効果】
【００１０】
請求項１に係る発明の食品包装用容器は、周縁部に上面の周辺部付近における３箇所以上に突起が設けてあり、内容器の最も低い底面と枠材の下端との高さの差が、上面の最も高い部分と突起の上端面との高さの差以上となっているので、内容器の上方を蓋で覆った状態で、複数の食品包装用容器を上下に積み重ねることができる。
また、突出部が掛け紙巻き付け面及び掛け紙巻き付け面の両側に広がる上面を有し、掛け紙巻き付け面は、少なくとも周縁部との境界において上面より低い面となっているので、内容器に食品を収納し蓋をした後に掛け紙を巻き付けた場合に、掛け紙がずれることがない。
さらに、突起は、掛け紙巻き付け面と周縁部との境界部の高さよりも高く、上面の周辺部の高さよりも低いので、掛け紙を巻き付けた食品包装用容器を上下に重ねた時、下側の掛け紙が上側の枠材の下端部で押さえつけられて折れ曲がることがない上に、食品包装用容器同士がずれにくく積み重ねた状態で運び易いという効果もある。
【００１１】
請求項２に係る発明によれば、請求項１に係る発明の食品包装用容器による効果に加えて、掛け紙巻き付け面は、全体が上面より低い面となっており、突起の高さは、掛け紙巻き付け面の最も高い部分より高く、上面の周辺部の高さよりも低いので、掛け紙を巻き付けた食品包装用容器を上下に重ねた時、上側の掛け紙が下側の掛け紙巻き付け面で押し上げられることがない。
【００１２】
請求項３に係る発明によれば、請求項１に係る発明の食品包装用容器による効果に加えて、枠材の下端部には、掛け紙巻き付け面に対応する部分に切り欠きが設けられているので、掛け紙を巻き付けた食品包装用容器を上下に重ねた時、上側の掛け紙が下側の掛け紙巻き付け面で押し上げられる程度を小さくすることができる。
また、上側の掛け紙が全く押し上げられないようにする場合においても、突起を高くすることによって切り欠きを浅くすることができるので、枠材の強度を保つことができる。
【図面の簡単な説明】
【００１３】
【図１】掛け紙を巻き付けた実施例１に係る食品包装用容器の斜視図。
【図２】実施例１に係る食品包装用容器のＡ−Ａ断面図。
【図３】実施例１に係る食品包装用容器を積み重ねた状態において掛け紙を巻き付けた部分における断面図。
【図４】掛け紙を巻き付けた実施例２に係る食品包装用容器の斜視図。
【発明を実施するための形態】
【００１４】
以下、実施例によって本発明の実施形態を説明する。
【実施例１】
【００１５】
図１は実施例１に係る食品包装用容器に掛け紙を巻き付けた状態の斜視図であり、この斜視図に示すとおり、実施例１に係る食品包装用容器は、薄いプラスチック製で一体成形により作製された内容器１と、発泡プラスチック製の枠材２と、薄く透明なプラスチック製で一体成形により作製された蓋３を備えている。
また、図２は実施例１に係る食品包装用容器を図１に示すＡ−Ａ線で切った断面図であり、図３は実施例１に係る食品包装用容器を上下に積み重ねた状態において、掛け紙４を巻き付けた部分における断面図である。
【００１６】
図２に示すとおり、内容器１は、その上縁に直方体状に開かれた枠材２の上端部が挿入できるように、外方に広がり下方に折れ曲がっているＬ字状の外縁部１１が設けてあり、側壁部１２の外側には上縁に沿って平行に突条１３が設けてある。
また、枠材２は、発泡プラスチックの板４枚を環状に接続したものであり、開いた状態では図１に示すように直方体状となり、閉じた状態では対向する内面同士が密着し、発泡プラスチックの板を２枚重ねた状態にすることが可能となっている。
そして、図２に示すとおり、枠材２の内側には上端部に沿って平行に溝条２１が設けてあり、内容器１を枠材２の上方から落とし込んで枠材２の上端部を外縁部１１に挿入した時に、突条１３が溝条２１に嵌合して内容器１と枠材２が分離しにくい状態となるようになっている。
なお、枠材２は開いた時に回転対称形となるので、内容器１を落とし込む際に方向性を気にすることなく組み立てることができる。
【００１７】
蓋３は内容器１の上に被せられるように、内容器１の外縁部１１における平坦部の形状とほぼ同じ形状の周縁部３１、周縁部３１から立ち上がる側壁３２と平らな上面３３等を有する突出部及び周縁部３１の周囲で下方に延びる周壁部３４を有している。
そして、突出部の中央部には掛け紙４を巻き付けた時に掛け紙４が外れないようにするため、断面が円弧状の曲面となっている掛け紙巻き付け面３５が設けられ、周壁部３４の内側の一部には内容器１と蓋３を緩く固定できるように、下端部に沿って平行に凸部３６が設けてある。
さらに、図１〜３に示すとおり、周縁部３１の対向する長辺の四隅付近には同じ大きさの突起３９が設けてあり、その上端面の高さは掛け紙巻き付け面３５と周縁部３１との境界部３７の高さより高く、上面３３の周辺部３８の高さより低くなっている。
【００１８】
そして、図２に示すとおり、内容器１の最も低い底面１４の高さと枠材２の下端部の高さの差をｄ１、上面３３の高さと突起３９の上端面の高さの差をｄ２とした時、ｄ１≧ｄ２となるように枠材２の高さ（幅）を調整してある。
そのため、図３に示すように、突起３９の上端面に枠材２の下端部を載置した時、上側の内容器１の最も低い部分１４は、下側の蓋３の上面３３以上の高さに保持されるので、複数の食品包装用容器を積み重ねても上面３３が潰れることがない。
また、上側の枠材２の下端部は下側の境界部３７の高さより高い位置に保たれるので、下側の掛け紙４が上側の枠材２の下端部で押さえつけられて折れ曲がることがない。
さらに、上側にある食品包装用容器の枠材２の下端部は、下側にある食品包装用容器の上面３３より低い位置に保たれ、蓋３の側壁３２により水平方向への移動が規制されるので、積み重ねた食品包装用容器を容易に運搬できる。
【００１９】
実施例１の食品包装用容器を利用するに際しては、まず、折り畳まれた状態の枠材２を開いて直方体状とした後、枠材２の上方から内容器１を落とし込み、枠材２の上端部を外縁部１１に挿入するとともに、突条１３を溝条２１に嵌合させる。
次に、各種の食品を内容器１の食品収納用凹部に収納した後、蓋３を内容器１の上に被せて、凸部３６を外縁部１１の下端部の下側に位置させる。
その後、掛け紙４を巻き付けると図１に示すような状態となる。
また、内容器１、枠材２及び蓋３を組み立て、掛け紙４を巻き付けた２つの食品包装用容器を上下に積み重ねると、図３に示すような状態となる。
【００２０】
図３に示すように、突起３９の上端面の高さが掛け紙巻き付け面３５の最も高い部分の高さより低い場合、上側の食品包装用容器に巻き付けた掛け紙４の下側の面は、下側の食品包装用容器の掛け紙巻き付け面３５における突起３９より高い部分により押し上げられる。
しかし、そのような場合であっても、掛け紙巻き付け面３５の最も高い部分の高さと突起３９の上端面の高さとの差を突起３９の大きさを調整することにより所定長以内（通常の掛け紙の場合５ｍｍ以内）とすることができるので、掛け紙４に過大な張力がかかって切れてしまうことはなく、かえって掛け紙巻き付け面３５に巻き付けられた掛け紙４のたるみをとって、ぴんと張った状態にすることができる。
なお、運搬後に食品包装用容器を利用者に配る際には、積み重ねられている食品包装容器をばらして渡すだけで良い。
【実施例２】
【００２１】
実施例２の食品包装用容器は、図４に示すとおり、掛け紙巻き付け面４５が実施例１における掛け紙巻き付け面３５のように断面が円弧状の曲面となっておらず、掛け紙巻き付け面４５の中央部が蓋３０の上面３３と同じ高さの平面となっている点、及び掛け紙巻き付け面４５の境界部３７に近い部分だけ断面が弧状の曲面となっている点のみで異なっている。
そのため、図４においては、実施例１の蓋３及び掛け紙巻き付け面３５に相当する部分を、それぞれ蓋３０及び掛け紙巻き付け面４５と表示し、それら以外の部分については実施例１と同じ番号を用い説明を省略する。
【００２２】
上記のとおり、実施例２の掛け紙巻き付け面４５の中央部は、蓋３０の上面３３と同じ高さの平面であり、蓋３０の突出部は実施例１の蓋３の突出部より凹凸の少ない構造となるので、成形加工が容易である。
また、掛け紙巻き付け面４５の最も高い部分は上面３３と同じ高さとなるため、突起３９の上端面の高さは掛け紙巻き付け面４５の最も高い部分より必ず低くしなければならないが、実施例２の場合も掛け紙巻き付け面３５の最も高い部分の高さ（上面３３の高さ）と突起３９の上端面の高さとの差は、突起３９の大きさを調整することにより所定長以内（通常の掛け紙の場合５ｍｍ以内）とすることができるので、掛け紙４に過大な張力がかかって切れてしまうことはなく、かえって掛け紙巻き付け面３５に巻き付けられた掛け紙４のたるみをとって、ぴんと張った状態にすることができる。
【００２３】
実施例１及び２の変形例を列記する。
（１）実施例１及び２の食品包装用容器は直方体状となっているが、直方体状に限らず角柱状、円柱状、楕円柱状等どのような形状であっても良い。
なお、食品包装用容器の形状を変更する場合、内容器１の形状を変更するとともに、枠材２はその形状に合わせて接続する板の長さや枚数、曲線状に曲げられるようにするための溝を形成する等の変更が必要となり、蓋３、３０の形状も内容器１の上面形状に合わせる必要がある。
（２）実施例１及び２の内容器１は、一体成形により作製された薄いプラスチック製のものであるが、プラスチック製に限らず紙製のものであっても良い。
【００２４】
（３）実施例１及び２においては内容器１の外縁部１１をＬ字状としたが、必ずしも下方に折れ曲がっていなくても良く、枠材２の上端部に当接して内容器１が枠材２の内側に落ち込まないようにすることができれば、外縁部１１の断面形状はどのようなものであっても良い。例えば、外縁部１１を水平部のみとし、熱融着や接着により枠材２の上端部に固着しても良い。
（４）実施例１及び２においては内容器１に突条１３を設け、枠材２に溝条２１を設けたが、これらは設けなくても食品包装用容器の組み立てに格別の支障はない。
【００２５】
（５）実施例１及び２の枠材２は、発泡プラスチック製の平板であったが、硬質プラスチック、木、紙又は金属等、適宜の材質の平板を用いても良い。
（６）実施例１及び２においては枠材２を折り畳めるものとしたが、折り畳めないものであっても良い。
【００２６】
（７）実施例１の蓋３及び実施例２の蓋３０は、周縁部３１の外側の全部に下方に延びる周壁部３４を有し、周壁部３４の内側の一部には凸部３６が設けてあったが、凸部３６はなくても良く、周壁部３４の内側の全部に凸部３６を設けても良い。
また、周壁部３４を設けず、周縁部３１の外側の一部又は内側の全部又は一部に下方に延びる延出部を設けて、蓋３又は蓋３０が内容器１に対して水平方向にずれないようにしても良い。
（８）実施例１の蓋３及び実施例２の蓋３０は、薄く透明なプラスチック製で一体成形により作製されたものであったが、不透明なものでも良く、発泡プラスチック製、硬質プラスチック製等、ある程度厚みのあるものであっても良い。
（９）実施例１の蓋３及び実施例２の蓋３０は、平らな上面３３を有していたが、上面３３は平らなものに限らず、凹凸のあるものであっても良い。
なお、上面３３に凹凸がある場合、図２に示すｄ２は上面３３の最も高い部分の高さと突起３９の上端面の高さの差とすれば良い。
【００２７】
（１０）実施例１の掛け紙巻き付け面３５は断面が円弧状の曲面となっていたが、断面形状はどのようなものであっても良い。
ただし、少なくとも境界部３７においては上面３３より低い面となっている必要がある。
また、掛け紙巻き付け面３５の最も高い部分と突起３９の上端面との高さの差（ｄ２）は所定長以内とするのが好ましく、掛け紙巻き付け面３５の最も高い部分を突起３９の上端面の高さ以下とすれば、上側の掛け紙が下側の掛け紙巻き付け面３５で押し上げられることがなくなる。
さらに、枠材２の下端部の掛け紙４が巻き付けられる部分に、ｄ２−所定長以上かつｄ２程度の深さとなる切り欠き部を設けても良い。一般に切り欠き部を深いものとすれば枠材２の強度は落ちてしまうが、突起３９を設けることでｄ２はある程度小さく設定できるので、ｄ２以下の深さであれば枠材２の強度をそれほど落とさずに済む。
（１１）実施例２の掛け紙巻き付け面４５は境界部３７に近い部分だけ断面が弧状の曲面となっていたが、境界部３７に近い部分の断面形状はどのようなものであっても良い。
ただし、少なくとも境界部３７においては上面３３より低い面となっている必要がある。
また、掛け紙巻き付け面４５の最も高い部分と突起３９の上端面との高さの差（ｄ２）は所定長以内とするのが好ましい。
さらに、変形例１０と同様、枠材２の下端部の掛け紙４が巻き付けられる部分に、ｄ２−所定長以上かつｄ２程度の深さとなる切り欠き部を設けても良い。
【符号の説明】
【００２８】
１  内容器      ２  枠材        ３、３０  蓋      ４  掛け紙
１１  外縁部      １２  側壁部    １３  突条      １４  底面
２１  溝条      ３１  周縁部      ３２  側壁      ３３  上面
３４  周壁部      ３５、４５  掛け紙巻き付け面      ３６  凸部
３７  境界部      ３８  周辺部      ３９  突起  
ｄ１  内容器１の最も低い底面１４の高さと枠材２の下端部の高さの差
ｄ２  上面３３の高さと突起３９の上端面の高さの差
【図１】
2018047946.tif 000003
【図２】
2018047946.tif 000004
【図３】
2018047946.tif 000005
【図４】
2018047946.tif 000006